(57)【要約】【課題】施設地図へ地点登録及び撮影済み画像や文字等を追記できるＬＣＤ、静止画像・動画像表示・撮影機能・ＧＰＳ機能・音楽再生機能、音認識、音声認識、フラッシュライト点灯機能、地上デジタル放送受信機能、持ち運びを優位にするための紐等を通す事ができる開口等を伴う部位、三脚等外部機器類を脱着可能な部位、その他周辺機器接続・動作機能付きの充電可能な携帯型ナビゲーション機を提供する。【解決手段】本発明は以上のような構造である施設地図へ地点登録及び撮影済み画像や文字等を追記できるＬＣＤ、静止画像・動画像表示・撮影機能・ＧＰＳ機能・音楽再生機能、音認識、音声認識、フラッシュライト点灯機能、地上デジタル放送受信機能、持ち運びを優位にするための紐等を通す事ができる開口等を伴う部位、三脚等外部機器類を脱着可能な部位、その他周辺機器接続・動作機能付きの充電可能な携帯型ナビゲーション機により、安全かつ容易に扱え、簡易・便利性機能を持たせた、ナビゲーション機を特徴とする。【選択図】図１
2011209258.tif 000002
【特許請求の範囲】
【請求項１】
施設地図へ地点登録及び撮影済み画像や文字等を追記できる、ＬＣＤ、静止画像・動画像表示・撮影機能・ナビ・ＧＰＳ機能・音楽再生機能、音認識、音声認識、フラッシュライト点灯機能、地上デジタル放送及びＡＭ・ＦＭ放送受信機能、施設内専用地図及びアトラクション等情報アプリケーション使用機能、持ち運びを優位にするための紐等を通す事ができる開口等を伴う部位、三脚等外部機器類を脱着可能な部位、その他周辺機器接続・動作機能付きの充電可能な走行時に現在位置や目的地への経路案内を行う携帯型ナビゲーション機。
【発明の詳細な説明】
【技術分野】
【０００１】本発明は、遊園地等の施設内における紙等の施設利用地図を利用、及びカーナビゲーション機を利用、及びカメラ撮影するのと同様の動作で利用する事の出来る、内蔵・外付けハードディスクや脱着式記憶媒体が使用可能な、施設地図へ地点登録及び文字や撮影済み画像や文字等を追記できるＬＣＤ等、静止画像・動画像表示・撮影機能・ＧＰＳ機能・音楽再生機能、音声認識、音認識、その他周辺機器接続・動作機能付きの充電可能な携帯型ナビゲーション機に関する。
【背景技術】
【先行技術文献】
【０００２】従来品における携帯型ナビゲーション機には、道路における道案内に関して言及されていた為、遊園地等の道案内及び静止画や動画撮影や日記のような使用目的が発生した場合等は不向きであった。また、静止画や動画は撮影できず、鑑賞する為には脱着式記憶媒体を利用する方法であった。また無線通信方式を採用した方法は、発信する側の更新や情報収集等の、常時待機人員確保等の、解決するべき他の問題が多すぎる為、大変困難であった。（例えば特許文献１）
【特許文献１】特許公開２００４−１３３７８２
【発明の概要】
【発明が解決しようとする課題】
【０００３】しかしながら従来品における遊園地専用地図では、ある地点における静止画像や動画撮影の内容物、文字追記、及びそれら保存物の移動等のような、地図上に記録する方式が無かった。特に、ある地点における記録を追記しアルバム化するという点で不利がある。
【課題を解決するための手段】
【０００４】本発明は軽量で便利性・携帯性と量産性の機能を有している、遊園地等の施設地図へ地点登録及び文字や撮影済み画像を追記でき、ファイル保存を地点と共に保存する、音声認識、音認識、フラッシュ撮影、音楽再生、三脚等の他の機器を接続する機能、及び持ち運び補助としての紐等を脱着する部位等を有し、施設地図へ地点登録及び文字や撮影済み画像や文字等を追記できるタッチパネルやＬＣＤ、静止画像・動画像表示・撮影機能・ＧＰＳ機能・音楽再生機能、その他周辺機器接続・動作機能付きの充電可能な携帯型ナビゲーション機を特徴とする事で上記課題を解決する。
【発明の効果】
【０００５】本発明は、軽量で、便利性・携帯性と量産性の機能を有している、遊園地等の施設地図へ地点登録及び文字や撮影済み画像を追記できる、また、ファイル保存を地点と共に保存する、音声認識、音認識、フラッシュ撮影、音楽再生、三脚等の他の機器を接続する機能、及び持ち運び補助としての紐等を脱着する部位等を有し、施設地図へ地点登録及び文字や撮影済み画像や文字等を追記できるタッチパネルやＬＣＤ、静止画像・動画像表示・撮影機能・ＧＰＳ機能・音楽再生機能、音認識、音声認識、三脚等外部機器類を脱着可能な部位、その他周辺機器接続・動作機能付きの充電可能な携帯型ナビゲーション機として利用するのに極めて有効である。
【発明を実施するための形態】
【０００６】本発明の、施設地図へ地点登録及び撮影済み画像や文字等を追記できるＬＣＤ、静止画像・動画像表示・撮影機能・ＧＰＳ機能・音楽再生機能、音認識、音声認識、フラッシュライト点灯機能、地上デジタル放送受信機能、三脚等外部機器類を脱着可能な部位、その他周辺機器接続・動作機能付きの充電可能な携帯型ナビゲーション機は、図１に示すように、１〜１４を組み合わせる事により、地点登録、撮影済み画像や文字等を追記できるタッチパネル又はＬＣＤ、静止画像・動画像表示・撮影機能・ＧＰＳ機能・音楽再生機能、音認識機能、音声認識機能、三脚等外部機器類を脱着可能な部位、その他周辺機器接続・動作機能付きの充電可能な携帯型ナビゲーション機として作動すする。本発明は以上のような構造である。
【実施例】
【０００７】一般的に普及しているポータブルカーナビゲーション機器類と同様の形成樹脂とタチパネル類又はＬＣＤ類にて内部機械類を保護する仕様とし、図１に示す内部システムを全て収容する為の、その時代における新規技術に関わらず、画面サイズは携帯電話等に見られる比較的狭小モニターではなく、一般普及品であるポータブルナビゲーション機程度のサイズ、高さ約１００ｍｍ、幅約１５０ｍｍ程度、厚み約３０ｍｍ前後を好適な組み合わせとして標準化する。この事により設計、施工製作が容易になる。また携帯性を向上させる為の脱着可能な紐等を通す部位１５を有することとし、その開口サイズは箇所数に関わらずそれぞれ径５ｍｍ前後程度の寸法とする。重量は携帯電話同等前後又は一般的に普及しているポータブルカーナビゲーション機同等前後とするのが最適である。【０００８】以上、本発明の実施の形態及び実施例を説明したが、本発明の範囲はこれに限定されるものではない。例えばＬＣＤ１３と本体１６との組み合わせ設置位置や持ち手形状、あるいは本体１６の全体寸法、Ｒ形状やＲと直線設置位置、紐等を通す部位１５の大きさや箇所数、設置位置、ＬＣＤ１３の大きさや設置位置と触感は、状況に応じて適宜選択されるものである。又は外観を動植物や果物及び施設独自の占有キャラクターを模した造形であることも状況に応じて適宜選択されるものである。【０００９】また、音源等アプリケーション１１やモータ等６及び７を活かし、音、音楽、または特定の決められた音源を本体が感知する事によりバイブ連動するアプリケーション設定を付しても良い。【００１０】さらに、発明を実施する為の最良の形態と実施例では形成樹脂とＬＣＤ類製について説明しているが、形成樹脂とＬＣＤ類に限られたものではなく、その他例えばアルミ材、硬質・軟質塩化ビニール材、その他樹脂材、スチール材、ガラス等、適当な任意の材料の物が利用でき、形状、大きさも任意に選定する事が出来る。また用途も遊園地利用という一面に限らず、博物館、動物園、植物園、ショッピングモール、百貨店等の人が多く集まる施設にて利用、及び人が多い場所での２機以上でのＧＰＳ設定利用による迷子捜索利用としても良い。
【産業上の利用可能性】
【００１１】本発明は、ナビゲーション機器類を製造する産業及び遊園地、博物館、動物園、植物園、ショッピングモール、百貨店等の人が多く集まる施設で利用される。
【図面の簡単な説明】
【００１２】
【図１】本発明を実施するための最良の第一の形態のブロック図である。
【図２】本発明を実施するための最良の第一の形態の正面図である。
【符号の説明】
【受託番号】（１）    ＲＦ／ＩＦ
（２）    アナログ・ベースバンド処理部
（３）    デジタル・ベースバンド処理部及びＣＰＵ等
（４）    フラッシュＲＯＭ等メモリ
（５）    フラッシュＲＯＭ等メモリ
（６）    モータドライバ
（７）    モータ
（８）    レンズ等
（９）    映像素子等
（１０）  電源・周辺機器
（１１）  アプリケーション（地上デジタル放送受信・音源・ＧＰＳ／ナビ・カメラ等）
（１２）  通信デバイス
（１３）  ＬＣＤ等
（１４）  ＬＣＤドライバ等
（１５）  持ち運びを優位にするための紐等を通す事ができる開口等を伴う部位
（１６）  本体
【図１】
2011209258.tif 000003
【図２】
2011209258.tif 000004